(57)【特許請求の範囲】
【請求項１】
レーザ光を発する発光素子と、
前記発光素子が発するレーザ光が入射されるレンズと、
前記発光素子を保持する素子保持体と、
前記レンズを保持するレンズ保持体と、
前記レンズと前記レンズ保持体との間に配置される固定体と、
前記素子保持体と前記レンズ保持体とを接着する接着体と、を備え、
前記素子保持体及び前記レンズ保持体は、前記接着体により、互いに接着される接着面をそれぞれ備え、
前記素子保持体及び前記レンズ保持体の少なくとも一方は、透光性を有し、
前記固定体は硬化性を有する接着剤であり、
前記レンズの外周面と前記レンズの支持面とのそれぞれは、前記レンズが前記レンズ保持体に対して固定される前に変位可能であり、
前記接着体は、光硬化性を有する接着剤のみを硬化したものであって、前記接着面の間のみに配置され、
前記接着面のそれぞれは、平面状に形成されると共に、前記レーザ光の光軸に対して垂直又は平行となるように、配置される、光源装置。
【請求項２】
前記レンズを前記レンズ保持体に固定する固定体を備え、
前記接着面のそれぞれは、前記レーザ光の光軸に対して垂直となるように、配置され、
前記レンズ保持体は、前記レンズを支持するレンズ支持面を備え、
前記レンズの外周面と前記レンズ支持面とのそれぞれは、前記レンズが前記レンズ保持体に対して固定される前に前記レーザ光の光軸と平行な方向に沿って変位可能に、前記レーザ光の光軸に対して平行となるように形成される、請求項１に記載の光源装置。
【請求項３】
前記発光素子は、前記レーザ光の光軸に対して垂直な発光面を備え、
前記レンズは、入射されたレーザ光を平行光にするコリメートレンズであって、
前記接着面のそれぞれは、前記レーザ光の光軸に対して平行で、且つ、前記発光面の最大幅となる方向に対して平行となるように、配置される、請求項１に記載の光源装置。
【請求項４】
レーザ光を発する発光素子と、
前記発光素子が発するレーザ光が入射されるレンズと、
前記発光素子を保持する素子保持体と、
前記レンズを保持するレンズ保持体と、
前記レンズと前記レンズ保持体との間に配置される固定体と、
前記素子保持体と前記レンズ保持体とを接着する接着体と、を備える光源装置の製造方法であって、
前記素子保持体及び前記レンズ保持体は、前記接着体により、互いに接着される接着面をそれぞれ備え、
前記素子保持体及び前記レンズ保持体の少なくとも一方は、透光性を有し、
前記固定体は硬化性を有する接着剤であり、
前記レンズの外周面と前記レンズの支持面とのそれぞれは、前記レンズが前記レンズ保持体に対して固定される前に変位可能であり、
前記接着面のそれぞれは、平面状に形成されると共に、前記レーザ光の光軸に対して垂直又は平行となるように、配置され、
前記製造方法は、
前記接着体の収縮量を考慮して前記発光素子に対する前記レンズの位置を合わせて、その後に前記接着剤を硬化させて前記固定体にすることで前記レンズを前記レンズ保持体に対して位置決めし、
光硬化性を有する接着剤を、前記接着面の間のみに配置することと、
前記接着剤を硬化して前記接着体となるように、光を、前記素子保持体及び前記レンズ保持体の少なくとも一方を透過させて、前記接着剤に照射することと、を含む、光源装置の製造方法。
【発明の詳細な説明】
【技術分野】
【０００１】
本発明は、レーザ光を発する発光素子と、発光素子が発するレーザ光が入射されるレンズとを備える光源装置及びその製造方法に関する。
【背景技術】
【０００２】
従来、光源装置として、レーザ光を発する発光素子と、発光素子が発するレーザ光が入射されるレンズとを備える光源装置が、知られている（例えば、特許文献１）。発光素子は、素子保持体に保持され、レンズは、レンズ保持体に保持され、そして、素子保持体及びレンズ保持体は、接着剤を硬化することで、接着されている。なお、接着剤が硬化される前には、発光素子に対するレンズの位置合わせ、具体的には、焦点距離合わせ及び光軸合わせが、実施されている。
【０００３】
ところで、特許文献１に係る光源装置においては、接着剤は、レンズ保持体の外周部の全体に配置されている。これにより、接着剤が、硬化する際に収縮するため、発光素子に対するレンズの位置がずれてしまう。このとき、発光素子及びレンズ間に発生する位置ずれは、焦点距離ずれ及び光軸ずれの両方である。したがって、発光素子に対してレンズを適正な位置にすることができない。
【先行技術文献】
【特許文献】
【０００４】
【特許文献１】特開平８−２４８２８５号公報
【発明の概要】
【発明が解決しようとする課題】
【０００５】
そこで、課題は、接着剤硬化により発生する発光素子及びレンズ間の位置ずれが、焦点距離ずれ又は光軸ずれの何れか一方に限定できる光源装置及びその製造方法を提供することである。
【課題を解決するための手段】
【０００６】
光源装置は、レーザ光を発する発光素子と、前記発光素子が発するレーザ光が入射されるレンズと、前記発光素子を保持する素子保持体と、前記レンズを保持するレンズ保持体と、前記レンズと前記レンズ保持体との間に配置される固定体と、前記素子保持体と前記レンズ保持体とを接着する接着体と、を備え、前記素子保持体及び前記レンズ保持体は、前記接着体により、互いに接着される接着面をそれぞれ備え、前記素子保持体及び前記レンズ保持体の少なくとも一方は、透光性を有し、前記固定体は硬化性を有する接着剤であり、前記レンズの外周面と前記レンズの支持面とのそれぞれは、前記レンズが前記レンズ保持体に対して固定される前に変位可能であり、前記接着体は、光硬化性を有する接着剤のみを硬化したものであって、前記接着面の間のみに配置され、前記接着面のそれぞれは、前記レーザ光の光軸に対して垂直又は平行となるように、配置される。
【０００７】
また、光源装置においては、前記レンズを前記レンズ保持体に固定する固定体を備え、前記接着面のそれぞれは、前記レーザ光の光軸に対して垂直となるように、配置され、前記レンズ保持体は、前記レンズを支持するレンズ支持面を備え、前記レンズの外周面と前記レンズ支持面とのそれぞれは、前記レンズが前記レンズ保持体に対して固定される前に前記レーザ光の光軸と平行な方向に沿って変位可能に、前記レーザ光の光軸に対して平行となるように形成される、という構成でもよい。
【０００８】
また、光源装置においては、前記発光素子は、前記レーザ光の光軸に対して垂直な発光面を備え、前記レンズは、入射されたレーザ光を平行光にするコリメートレンズであって、前記接着面のそれぞれは、前記レーザ光の光軸に対して平行で、且つ、前記発光面の最大幅となる方向に対して平行となるように、配置される、という構成でもよい。
【０００９】
また、光源装置の製造方法は、レーザ光を発する発光素子と、前記発光素子が発するレーザ光が入射されるレンズと、前記発光素子を保持する素子保持体と、前記レンズを保持するレンズ保持体と、前記レンズと前記レンズ保持体との間に配置される固定体と、前記素子保持体と前記レンズ保持体とを接着する接着体と、を備える光源装置の製造方法であって、前記素子保持体及び前記レンズ保持体は、前記接着体により、互いに接着される接着面をそれぞれ備え、前記素子保持体及び前記レンズ保持体の少なくとも一方は、透光性を有し、前記固定体は硬化性を有する接着剤であり、前記レンズの外周面と前記レンズの支持面とのそれぞれは、前記レンズが前記レンズ保持体に対して固定される前に変位可能であり、前記接着面のそれぞれは、前記レーザ光の光軸に対して垂直又は平行となるように、配置され、前記製造方法は、前記接着体の収縮量を考慮して前記発光素子に対する前記レンズの位置を合わせて、その後に前記接着剤を硬化させて前記固定体にすることで前記レンズを前記レンズ保持体に対して位置決めし、光硬化性を有する接着剤のみを、前記接着面の間に配置することと、前記接着剤を硬化して前記接着体となるように、光を、前記素子保持体及び前記レンズ保持体の少なくとも一方を透過させて、前記接着剤に照射することと、を含む。
【発明の効果】
【００１０】
以上の如く、光源装置及びその製造方法は、接着剤硬化により発生する発光素子及びレンズ間の位置ずれが、焦点距離ずれ又は光軸ずれの何れか一方に限定できる、という優れた効果を奏する。
【図面の簡単な説明】
【００１１】
【図１】一実施形態に係る光源装置の全体図であって、一部が縦断端面で示された図である。
【図２】図１のII−II線における断面図である。
【図３】同実施形態に係る光源装置の全体側面図である。
【図４】同実施形態に係る光源装置の分解図であって、一部が縦断面で示された図である。
【図５】同実施形態に係る光源装置の製造方法を説明する図であって、一部が縦断端面で示された図である。
【図６】同実施形態に係る光源装置の製造方法を説明する図であって、一部が縦断端面で示された図である。
【図７】同実施形態に係る光源装置の製造方法を説明する図であって、一部が縦断端面で示された図である。
【図８】同実施形態に係る光源装置の製造方法を説明する図であって、一部が縦断端面で示された図である。
【図９】他の実施形態に係る光源装置の全体図であって、一部が縦断端面で示された図である。
【図１０】図９のＸ−Ｘ線における断面図である。
【図１１】同実施形態に係る光源装置の全体側面図である。
【図１２】同実施形態に係る光源装置の分解図であって、一部が縦断面で示された図である。
【図１３】同実施形態に係る光源装置の製造方法を説明する図であって、一部が縦断端面で示された図である。
【図１４】同実施形態に係る光源装置の製造方法を説明する図であって、一部が縦断端面で示された図である。
【図１５】同実施形態に係る光源装置の作用を説明する図であって、光軸上の位置から発せられる光の平行度を示す図である。
【図１６】同実施形態に係る光源装置の作用を説明する図であって、光軸から離れた位置から発せられる光の平行度を示す図である。
【図１７】さらに他の実施形態に係る光源装置の全体図であって、一部が縦断端面で示された図である。
【図１８】同実施形態に係る光源装置の全体側面図である。
【図１９】さらに他の実施形態に係る光源装置の全体図であって、一部が縦断端面で示された図である。
【図２０】さらに他の実施形態に係る光源装置の要部図であって、一部が縦断端面で示された図である。
【発明を実施するための形態】
【００１２】
＜第１実施形態＞
以下、光源装置における第１の実施形態について、図１〜図８を参酌して説明する。なお、各図（図９〜図２０も同様）において、図面の寸法比と実際の寸法比とは、必ずしも一致しておらず、また、各図面の間での寸法比も、必ずしも一致していない。
【００１３】
図１〜図４に示すように、本実施形態に係る光源装置１は、レーザ光Ｌ１を発する発光素子２と、発光素子２を保持する素子保持体３と、発光素子２が発するレーザ光Ｌ１が直接に入射されるレンズ４と、レンズ４を保持するレンズ保持体５とを備えている。また、光源装置１は、レンズ４をレンズ保持体５に固定する固定体６と、素子保持体３とレンズ保持体５とを接着する接着体７とを備えている。
【００１４】
発光素子２は、レーザ光Ｌ１を発する発光部２１を備えており、発光部２１は、レーザ光Ｌ１の光軸ＬＸ１に対して垂直な発光面２１ａを備えている。発光面２１ａは、長方形状に形成されている。また、発光素子２は、電源を供給されるための端子２２を備えている。本実施形態においては、発光素子２は、半導体レーザであって、具体的には、発光部２１を一つ有するＣＡＮタイプ（シングルエミッタタイプ）の半導体レーザである。
【００１５】
図１〜図４（図５〜図２０も同様）において、第１方向Ｄ１は、発光面２１ａの最大幅となる方向（本実施形態では、発光面２１ａの長手方向）であり、第２方向Ｄ２は、発光面２１ａと平行な方向で且つ第１方向Ｄ１と直交する方向（本実施形態では、発光面２１ａの短手方向）である。また、第３方向Ｄ３は、第１方向Ｄ１及び第２方向Ｄ２と直交する方向、即ち、レーザ光Ｌ１の光軸ＬＸ１と平行な方向である。
【００１６】
発光素子２から発するレーザ光Ｌ１は、発散する光である。そして、レーザ光Ｌ１において、発光面２１ａの長手方向Ｄ１の発散角度は、発光面２１ａの短手方向Ｄ２の発散角度よりも、小さい。即ち、発光素子２においては、発光面２１ａの長手方向Ｄ１は、遅軸方向であり、発光面２１ａの短手方向Ｄ２は、速軸方向である。
【００１７】
素子保持体３は、発光素子２を収容する素子収容部３１と、レンズ４及びレンズ保持体５を収容するレンズ収容部３２とを備えている。そして、素子保持体３は、遮光性を有している。例えば、素子保持体３は、アルミニウム、真鍮等で形成されている。
【００１８】
素子収容部３１は、筒状に形成されている。そして、素子収容部３１は、発光素子２の一部を収容している。また、素子収容部３１は、発光素子２が内部に圧入されることで、発光素子２を固定している。なお、発光素子２は、接着剤を硬化したもので、素子保持体３に固定されてもよい。
【００１９】
レンズ収容部３２は、筒状に形成されている。そして、レンズ収容部３２は、レンズ４及びレンズ保持体５の全体を収容している。即ち、レンズ収容部３２の第３方向Ｄ３（即ち、レーザ光Ｌ１の光軸ＬＸ１と平行な方向）の寸法は、レンズ保持体５の第３方向Ｄ３の寸法よりも、大きくなっている。
【００２０】
レンズ４の入射面４１は、平面状に形成されており、レンズ４の出射面４２は、凸面状（具体的には、球面状の一部）に形成されている。そして、レンズ４の入射面４１側は、円柱状に形成され、レンズ４の出射面４２側は、球状の一部で形成されている。本実施形態においては、レンズ４は、入射面４１に入射された発散するレーザ光Ｌ１を平行光にして出射面４２から出射するコリメートレンズである。
【００２１】
レンズ保持体５は、レンズ４を支持するレンズ支持部５１と、レンズ支持部５１から突出する突出部５２とを備えている。そして、レンズ保持体５は、透光性を有している。例えば、レンズ保持体５は、ガラス、ポリカーボネート等で形成されている。
【００２２】
レンズ支持部５１は、筒状に形成されており、レンズ４を内部に収容している。そして、レンズ支持部５１は、内周面に、レンズ４を支持するレンズ支持面５１ａを備えている。また、突出部５２は、レンズ支持部５１の一方側の端部から径方向外方に向けてフランジ状に突出している。
【００２３】
レンズ４の外周面４３とレンズ支持面５１ａとのそれぞれは、レーザ光Ｌ１の光軸ＬＸ１に対して平行となるように形成されている。また、レンズ支持部５１の内径は、レンズ４の外径よりも僅かに大きくなっている。これにより、レンズ４は、レンズ保持体５に対して固定される前に、レーザ光Ｌ１の光軸ＬＸ１と平行な方向Ｄ３に沿って変位できる。
【００２４】
レンズ支持部５１は、他方側に、内径がレンズ支持面５１ａの内径よりも大きい大径部５１ｂを備えている。そして、固定体６は、大径部５１ｂとレンズ４との間に配置されている。なお、固定体６は、接着剤を硬化したものであり、レンズ４とレンズ保持体５とを接着して固定している。本実施形態においては、固定体６は、光硬化性を有する接着剤に光を照射させて硬化したものである。
【００２５】
素子保持体３及びレンズ保持体５は、接着体７により、互いに接着される接着面３３，５３をそれぞれ備えている。そして、接着面３３，５３のそれぞれは、平面状に形成されている。さらに、接着面３３，５３のそれぞれは、レーザ光Ｌ１の光軸ＬＸ１に対して垂直となるように、配置されている。
【００２６】
また、接着体７は、接着面３３，５３の間のみに配置されている。接着体７は、光硬化性を有する接着剤のみを硬化したものであり、素子保持体３の接着面３３とレンズ保持体５の接着面５３とを接着して固定している。なお、接着体７においては、厚み寸法（接着面３３，５３が対面する方向、即ち、第３方向Ｄ３の寸法）は、接着面３３，５３と平行な方向の寸法（例えば、第１方向Ｄ１の寸法、第２方向Ｄ２の寸法）よりも、小さい。
【００２７】
本実施形態に係る光源装置１の構成については以上の通りであり、次に、本実施形態に係る光源装置１の製造方法について、図５〜図８を参酌して、説明する。
【００２８】
図５に示すように、レンズ４は、位置合わせ機構９１により、レンズ保持体５に対して位置合わせされる。位置合わせ機構９１は、レンズ４の出射面４２に平行な光Ｌ２を入射させる光源９２と、レンズ保持体５の接着面５３を支持する接着面支持部９３と、発光素子２の発光面２１ａに相当する位置に配置され、レンズ４の入射面４１から出射された光Ｌ２を受光する受光部９４とを備えている。
【００２９】
まず、レンズ４がレンズ保持体５のレンズ支持面５１ａに支持された状態で、レンズ保持体５の大径部５１ｂとレンズ４との間に、光硬化性を有する接着剤６０が塗布される。そして、光源９２からの光Ｌ２が受光部９４の位置で焦点となるように、受光部９４の受光量に基づいて、レンズ４は、第３方向Ｄ３に沿って変位され、レンズ保持体５に対して位置合わせされる。このとき、レンズ４は、レンズ支持面５１ａをスライドすることで、レンズ保持体５に対して位置合わせされる。
【００３０】
そして、図６に示すように、光Ｌ３が、レンズ保持体５を透過して、又は、直接的に、接着剤６０に照射される。これにより、接着剤６０は、硬化して固定体６となり、レンズ４をレンズ保持体５に固定する。本実施形態においては、該接着剤６０は、紫外光（例えば、３１５ｎｍ〜３８０ｎｍ）硬化性を有する接着剤であって、光源９２が発する光Ｌ２は、該接着剤６０を硬化させない光（例えば、６３０ｎｍ〜６５０ｎｍの光）である。
【００３１】
次に、図７に示すように、レンズ４が固定されたレンズ保持体５の接着面５３に、接着剤７０が塗布され、レンズ保持体５の接着面５３が、接着剤７０により、発光素子２が固定された素子保持体３の接着面３３に仮接着（加力により接着が解除される程度の接着）される。そして、レンズ４は、第１方向Ｄ１及び第２方向Ｄ２に沿って変位され、発光素子２に対して位置合わせされる。
【００３２】
このとき、発光素子２がレーザ光Ｌ１を発しており、受光部９５が、レンズ４から出射した当該レーザ光Ｌ１を受光している。そして、受光部９５の受光量に基づいて、レンズ４（レンズ保持体５）は、発光素子２（素子保持体３）に対して位置合わせされる。
【００３３】
その後、図８に示すように、光Ｌ４が、レンズ保持体５を透過して、接着面３３，５３の間の接着剤７０に照射される。これにより、接着剤７０は、硬化して接着体７となり、レンズ保持体５を素子保持体３に固定する。このようにして、光源装置１が製造される。なお、本実施形態においては、該接着剤７０は、紫外光（例えば、３１５ｎｍ〜３８０ｎｍ）硬化性を有する接着剤であって、発光素子２が発するレーザ光Ｌ１は、該接着剤７０を硬化させない光（例えば、６３０ｎｍ〜６５０ｎｍの光）である。
【００３４】
ところで、接着体７（接着剤７０）は、接着面３３，５３の間のみに配置されており、接着面３３，５３のそれぞれは、第３方向Ｄ３に対して垂直となるように、配置されている。これにより、接着剤７０が硬化して接着体７になる際に収縮する方向は、接着面３３，５３が対面する第３方向Ｄ３のみになる。
【００３５】
以上より、本実施形態に係る光源装置１の製造方法は、レーザ光Ｌ１を発する発光素子２と、前記発光素子２が発するレーザ光Ｌ１が入射されるレンズ４と、前記発光素子２を保持する素子保持体３と、前記レンズ４を保持するレンズ保持体５と、前記素子保持体３と前記レンズ保持体５とを接着する接着体７と、を備える光源装置１の製造方法であって、前記素子保持体３及び前記レンズ保持体５は、前記接着体７により、互いに接着される接着面３３，５３をそれぞれ備え、前記素子保持体３及び前記レンズ保持体５の少なくとも一方（本実施形態では、レンズ保持体５）は、透光性を有し、前記接着面３３，５３のそれぞれは、前記レーザ光Ｌ１の光軸ＬＸ１に対して垂直又は平行（本実施形態では、垂直）となるように、配置され、前記製造方法は、光硬化性を有する接着剤７０のみを、前記接着面３３，５３の間に配置することと、前記接着剤７０を硬化して前記接着体７となるように、光Ｌ４を、前記素子保持体３及び前記レンズ保持体５の少なくとも一方（本実施形態では、レンズ保持体５）を透過させて、前記接着剤７０に照射することと、を含む。
【００３６】
また、本実施形態に係る光源装置１は、レーザ光Ｌ１を発する発光素子２と、前記発光素子２が発するレーザ光Ｌ１が入射されるレンズ４と、前記発光素子２を保持する素子保持体３と、前記レンズ４を保持するレンズ保持体５と、前記素子保持体３と前記レンズ保持体５とを接着する接着体７と、を備え、前記素子保持体３及び前記レンズ保持体５は、前記接着体７により、互いに接着される接着面３３，５３をそれぞれ備え、前記素子保持体３及び前記レンズ保持体５の少なくとも一方（本実施形態では、レンズ保持体５）は、透光性を有し、前記接着体７は、光硬化性を有する接着剤７０のみを硬化したものであって、前記接着面３３，５３の間のみに配置され、前記接着面３３，５３のそれぞれは、前記レーザ光Ｌ１の光軸ＬＸ１に対して垂直又は平行（本実施形態では、垂直）となるように、配置される。
【００３７】
斯かる構成によれば、光硬化性を有する接着剤７０は、素子保持体３及びレンズ保持体５の少なくとも一方（本実施形態では、レンズ保持体５）を透過した光Ｌ４に照射されることで、硬化して接着体７になる。これにより、素子保持体３及びレンズ保持体５は、接着体７により、互いに接着される。
【００３８】
そして、接着体７は、接着面３３，５３の間のみに配置され、接着面３３，５３のそれぞれは、レーザ光Ｌ１の光軸ＬＸ１に対して垂直又は平行（本実施形態では、垂直）となるように、配置されている。これにより、接着剤７０が硬化して接着体７になる際に収縮する方向が、接着面３３，５３が対面する方向Ｄ３になるため、接着剤７０硬化により発生する発光素子２及びレンズ４間の位置ずれが、焦点距離ずれ又は光軸ずれの何れか一方（本実施形態では、焦点距離ずれ）に限定できる。
【００３９】
また、接着剤７０が硬化して接着体７になる際に収縮する方向が、一方向（本実施形態では、第３方向Ｄ３）で特定できるため、その収縮量も予測することが可能になる。これにより、例えば、その収縮量を考慮して、発光素子２に対するレンズ４の位置を合わせた後、接着剤７０を硬化させて接着体７にすることで、発光素子２に対してレンズ４を適正な位置にすることができる。
【００４０】
また、本実施形態に係る光源装置１においては、前記レンズ４を前記レンズ保持体５に固定する固定体６を備え、前記接着面３３，５３のそれぞれは、前記レーザ光Ｌ１の光軸ＬＸ１に対して垂直となるように、配置され、前記レンズ保持体５は、前記レンズ４を支持するレンズ支持面５１ａを備え、前記レンズ４の外周面４３と前記レンズ支持面５１ａとのそれぞれは、前記レンズ４が前記レンズ保持体５に対して固定される前に前記レーザ光Ｌ１の光軸ＬＸ１と平行な方向に沿って変位可能に、前記レーザ光Ｌ１の光軸ＬＸ１に対して平行となるように形成される、という構成である。
【００４１】
斯かる構成によれば、接着面３３，５３のそれぞれが、レーザ光Ｌ１の光軸ＬＸ１に対して垂直となるように、配置されているため、接着剤７０が硬化して接着体７になることで、レンズ４は、発光素子２に対して、レーザ光Ｌ１の光軸ＬＸ１と平行な方向Ｄ３にずれること（焦点距離ずれ）になる。そこで、レンズ４の外周面４３とレンズ支持面５１ａとのそれぞれが、レーザ光Ｌ１の光軸ＬＸ１に対して平行となるように、形成されている。
【００４２】
これにより、固定体６がレンズ４をレンズ保持体５に固定する前に、レンズ４は、レンズ保持体５に対して、レーザ光Ｌ１の光軸ＬＸ１と平行な方向Ｄ３に沿って変位できる。したがって、レーザ光Ｌ１の光軸ＬＸ１と平行な方向Ｄ３で、レンズ保持体５の接着面５３に対するレンズ４の位置を合わせることができる。そして、レンズ保持体５の接着面５３が、発光素子２の位置の基準となるため、その結果、発光素子２に対してレンズ４を適正な位置にすることができる。
【００４３】
＜第２実施形態＞
次に、光源装置１における第２の実施形態について、図９〜図１６を参酌して説明する。なお、図９〜図１６において、図１〜図８の符号と同一の符号を付した部分は、第１実施形態と略同様の構成又は略同様の機能（作用）を有する要素を表し、その説明は、繰り返さない。
【００４４】
図９〜図１２に示すように、レンズ４の入射面４１側は、四角柱状に形成され、レンズ４の出射面４２側は、球状の一部で形成されている。本実施形態においては、レンズ４は、入射面４１に入射された発散するレーザ光Ｌ１を平行光にして出射面４２から出射するコリメートレンズである。例えば、本実施形態に係るレンズ４は、第１実施形態に係るレンズ４の円状の外周を切断して、四角形状にした構成である。
【００４５】
レンズ保持体５は、レンズ４を支持するレンズ支持面５１ａを備えている。そして、レンズ保持体５は、平板状に形成されている。また、レンズ保持体５は、透光性を有している。
【００４６】
レンズ４の外周面４３とレンズ支持面５１ａとのそれぞれは、レーザ光Ｌ１の光軸ＬＸ１に対して平行となるように形成されている。これにより、レンズ４は、レンズ保持体５に対して固定される前に、レーザ光Ｌ１の光軸ＬＸ１と平行な方向Ｄ３に沿って変位できる。
【００４７】
固定体６は、レンズ４の外周面４３とレンズ保持体５のレンズ支持面５１ａとの間に配置されている。なお、固定体６は、接着剤を硬化したものであり、レンズ４とレンズ保持体５とを接着して固定している。本実施形態においては、固定体６は、光硬化性を有する接着剤に光を照射して硬化したものである。
【００４８】
素子保持体３及びレンズ保持体５は、接着体７により、互いに接着される接着面３３，５３をそれぞれ備えている。そして、接着面３３，５３のそれぞれは、平面状に形成されている。さらに、接着面３３，５３のそれぞれは、レーザ光Ｌ１の光軸ＬＸ１に対して平行となるように、配置されている。しかも、接着面３３，５３のそれぞれは、発光面２１ａの最大幅となる方向Ｄ１に対して平行となるように、配置されている。
【００４９】
接着体７は、接着面３３，５３の間のみに配置されている。なお、接着体７は、光硬化性を有する接着剤のみを硬化したものであり、素子保持体３の接着面３３とレンズ保持体５の接着面５３とを接着して固定している。
【００５０】
本実施形態に係る光源装置１の構成については以上の通りであり、次に、本実施形態に係る光源装置１の製造方法について、図１３及び図１４を参酌して、説明する。
【００５１】
図１３に示すように、レンズ４が固定体６でレンズ保持体５に固定され、発光素子２が素子保持体３に固定されている。そして、接着剤７０が、レンズ保持体５の接着面５３に塗布され、レンズ保持体５の接着面５３が、接着剤７０により、素子保持体３の接着面３３に仮接着（加力により接着が解除される程度の接着）される。その後、レンズ４は、第１方向Ｄ１及び第３方向Ｄ３に沿って変位され、発光素子２に対して位置合わせされる。
【００５２】
このとき、発光素子２がレーザ光Ｌ１を発しており、受光部９５が、レンズ４から出射した当該レーザ光Ｌ１を受光している。そして、受光部９５の受光量に基づいて、レンズ４（レンズ保持体５）は、発光素子２（素子保持体３）に対して位置合わせされる。
【００５３】
その後、図１４に示すように、光Ｌ４が、レンズ保持体５を透過して、接着面３３，５３の間の接着剤７０に照射される。これにより、接着剤７０は、硬化して接着体７となり、レンズ保持体５を素子保持体３に固定する。このようにして、光源装置１が製造される。
【００５４】
ところで、接着体７（接着剤７０）は、接着面３３，５３の間のみに配置されており、接着面３３，５３のそれぞれは、第１方向Ｄ１及び第３方向Ｄ３に対してそれぞれ平行となるように、配置されている。これにより、接着剤７０が硬化して接着体７になる際に収縮する方向は、接着面３３，５３が対面する第２方向Ｄ２のみになる。
【００５５】
次に、レンズ（コリメートレンズ）４の平行度と、本実施形態に係る光源装置１の作用効果について、図１５及び図１６を参酌して説明する。
【００５６】
図１５に示すように、発光面２１ａのうち、光軸ＬＸ１上の位置Ｐ１から発せられたレーザ光Ｌ１１は、レンズ（コリメートレンズ）４を透過した後、光軸ＬＸ１と平行なレーザ光Ｌ１１となる。しかしながら、図１６に示すように、発光面２１ａのうち、光軸ＬＸ１から離れた位置Ｐ２から発せられたレーザ光Ｌ１２は、レンズ４を透過した後、光軸ＬＸ１に対して傾斜したレーザ光Ｌ１２となる。
【００５７】
そして、光軸ＬＸ１から離れた位置ほど、発せられた光は、レンズ４を透過した後、光軸ＬＸ１に対して大きく傾斜する。したがって、発光面２１ａのうち、光軸ＬＸ１から最も離れる位置を有する方向、即ち、発光面２１ａの最大幅となる方向で、レンズ４が発光素子２に対して位置ずれすることを抑制すれば、レンズ４を透過した後のレーザ光Ｌ１の平行度を維持することができる。
【００５８】
そこで、本実施形態に係る光源装置１においては、接着面３３，５３のそれぞれは、発光素子２の発光面２１ａの最大幅となる方向（第１方向Ｄ１）に対して平行となるように、配置されている。これにより、接着剤７０硬化により、発光素子２の発光面２１ａの最大幅となる方向Ｄ１で、レンズ４が発光素子２に対して位置ずれすることを抑制することができる。したがって、接着剤７０硬化により、レンズ４を透過した後のレーザ光Ｌ１の平行度が低下することを抑制できる。
【００５９】
以上より、本実施形態に係る光源装置１の製造方法は、レーザ光Ｌ１を発する発光素子２と、前記発光素子２が発するレーザ光Ｌ１が入射されるレンズ４と、前記発光素子２を保持する素子保持体３と、前記レンズ４を保持するレンズ保持体５と、前記素子保持体３と前記レンズ保持体５とを接着する接着体７と、を備える光源装置１の製造方法であって、前記素子保持体３及び前記レンズ保持体５は、前記接着体７により、互いに接着される接着面３３，５３をそれぞれ備え、前記素子保持体３及び前記レンズ保持体５の少なくとも一方（本実施形態では、レンズ保持体５）は、透光性を有し、前記接着面３３，５３のそれぞれは、前記レーザ光Ｌ１の光軸ＬＸ１に対して垂直又は平行（本実施形態では、水平）となるように、配置され、前記製造方法は、光硬化性を有する接着剤７０のみを、前記接着面３３，５３の間に配置することと、前記接着剤７０を硬化して前記接着体７となるように、光Ｌ４を、前記素子保持体３及び前記レンズ保持体５の少なくとも一方（本実施形態では、レンズ保持体５）を透過させて、前記接着剤７０に照射することと、を含む。
【００６０】
また、本実施形態に係る光源装置１は、レーザ光Ｌ１を発する発光素子２と、前記発光素子２が発するレーザ光Ｌ１が入射されるレンズ４と、前記発光素子２を保持する素子保持体３と、前記レンズ４を保持するレンズ保持体５と、前記素子保持体３と前記レンズ保持体５とを接着する接着体７と、を備え、前記素子保持体３及び前記レンズ保持体５は、前記接着体７により、互いに接着される接着面３３，５３をそれぞれ備え、前記素子保持体３及び前記レンズ保持体５の少なくとも一方（本実施形態では、レンズ保持体５）は、透光性を有し、前記接着体７は、光硬化性を有する接着剤７０のみを硬化したものであって、前記接着面３３，５３の間のみに配置され、前記接着面３３，５３のそれぞれは、前記レーザ光Ｌ１の光軸ＬＸ１に対して垂直又は平行（本実施形態では、水平）となるように、配置される。
【００６１】
斯かる構成によれば、光硬化性を有する接着剤７０は、素子保持体３及びレンズ保持体５の少なくとも一方（本実施形態では、レンズ保持体５）を透過した光Ｌ４に照射されることで、硬化して接着体７になる。これにより、素子保持体３及びレンズ保持体５は、接着体７により、互いに接着される。
【００６２】
そして、接着体７は、接着面３３，５３の間のみに配置され、接着面３３，５３のそれぞれは、レーザ光Ｌ１の光軸ＬＸ１に対して垂直又は平行（本実施形態では、水平）となるように、配置されている。これにより、接着剤７０が硬化して接着体７になる際に収縮する方向が、接着面３３，５３が対面する方向Ｄ２になるため、接着剤７０硬化により発生する発光素子２及びレンズ４間の位置ずれが、焦点距離ずれ又は光軸ずれの何れか一方（本実施形態では光軸ずれ）に限定できる。
【００６３】
また、接着剤７０が硬化して接着体７になる際に収縮する方向が、一方向（本実施形態では、第２方向Ｄ２）で特定できるため、その収縮量も予測することが可能になる。これにより、例えば、その収縮量を考慮して、発光素子２に対するレンズ４の位置を合わせた後、接着剤７０を硬化させて接着体７にすることで、発光素子２に対してレンズ４を適正な位置にすることができる。
【００６４】
また、本実施形態に係る光源装置１においては、前記発光素子２は、前記レーザ光Ｌ１の光軸ＬＸ１に対して垂直な発光面２１ａを備え、前記レンズ４は、入射されたレーザ光Ｌ１を平行光にするコリメートレンズであって、前記接着面３３，５３のそれぞれは、前記レーザ光Ｌ１の光軸ＬＸ１に対して平行で、且つ、前記発光面２１ａの最大幅となる方向Ｄ１に対して平行となるように、配置される、という構成である。
【００６５】
斯かる構成によれば、接着面３３，５３のそれぞれが、レーザ光Ｌ１の光軸ＬＸ１に対して平行となるように、配置されているため、接着剤７０が硬化することで、レンズ４は、発光素子２に対して、レーザ光Ｌ１の光軸ＬＸ１と垂直な方向にずれること（光軸ずれ）になる。そして、レンズ４は、入射されたレーザ光Ｌ１を平行光にするコリメートレンズである。
【００６６】
ところで、レンズ４に入射されるレーザ光Ｌ１は、発光面２１ａから発せられる位置において、光軸ＬＸ１から離れるほど、レンズ４から出射する際に、平行度が低下してしまう。そこで、接着面３３，５３のそれぞれは、発光素子２の発光面２１ａの最大幅となる方向Ｄ１に対して平行となるように、配置されている。
【００６７】
これにより、接着剤７０が硬化しても、発光素子２の発光面２１ａの最大幅となる方向Ｄ１で、光軸ずれが発生することを抑制することができる。したがって、レンズ４から出射されるレーザ光Ｌ１の平行度が低下することを抑制することができる。
【００６８】
なお、光源装置１は、上記した第２実施形態に係る光源装置１の構成及び作用に限定されるものではない。例えば、上記した第２実施形態に係る光源装置１に対して、以下のような変更が行われてもよい。
【００６９】
上記第２実施形態に係る光源装置１においては、レンズ４の入射面４１側は、四角柱状に形成され、レンズ４の出射面４２側は、球状の一部で形成されている、という構成である。しかしながら、光源装置１は、斯かる構成に限られない。例えば、図１７及び図１８に示すように、第１実施形態に係るレンズ４と同様に、レンズ４の入射面４１側は、円柱状に形成され、レンズ４の出射面４２側は、球状の一部で形成されている、という構成でもよい。
【００７０】
図１７及び図１８のレンズ保持体５は、筒状に形成されており、レンズ４を内部に収容している。そして、レンズ保持体５は、内周面に、レンズ４を支持するレンズ支持面５１ａを備えている。また、接着剤６０を硬化した固定体６は、レンズ４とレンズ支持面５１ａとの間に配置され、レンズ４とレンズ保持体５とを固定している。
【００７１】
また、上記第２実施形態に係る光源装置１においては、接着面３３，５３のそれぞれは、レーザ光Ｌ１の光軸ＬＸ１に対して平行で、且つ、発光面２１ａの最大幅となる方向Ｄ２に対して平行となるように、配置されている、という構成である。しかしながら、光源装置１は、斯かる構成に限られない。例えば、接着面３３，５３のそれぞれは、レーザ光Ｌ１の光軸ＬＸ１に対して平行で、且つ、発光面２１ａの最大幅となる方向Ｄ２に対して交差するように、配置されている、という構成でもよい。
【００７２】
なお、光源装置及びその製造方法は、上記した実施形態の構成に限定されるものではなく、また、上記した作用効果に限定されるものではない。また、光源装置及びその製造方法は、本発明の要旨を逸脱しない範囲内において種々変更を加え得ることは勿論である。例えば、上記した複数の実施形態の各構成や各方法等を任意に採用して組み合わせてもよく（１つの実施形態に係る各構成や各方法等を他の実施形態に係る構成や方法等に適用してもよく）、さらに、下記する各種の変更例に係る構成や方法等を任意に一つ又は複数選択して、上記した実施形態に係る構成や方法等に採用してもよいことは勿論である。
【００７３】
上記各実施形態に係る光源装置１においては、素子保持体３とレンズ保持体５とは、接着体７のみで、固定されている、という構成である。しかしながら、光源装置は、斯かる構成に限られない。例えば、図１９に示すように、素子保持体３とレンズ保持体５とは、接着体７と、接着剤（光硬化性を有する接着剤を除く）を硬化した補強接着体８とで、固定されている、という構成でもよい。
【００７４】
補強接着体８は、接着面３３，５３の間以外の位置に配置されている。例えば、補強接着体８は、素子保持体３の接着面３３とレンズ保持体５の外周面との間に配置されている。また、補強接着体８は、例えば、熱硬化性を有する接着剤や二液混合により硬化する接着剤等を硬化したものである。
【００７５】
なお、図１９に係る光源装置１の製造方法においては、接着面３３，５３の間の接着剤７０に、光を照射し、当該接着剤７０が硬化して接着体７となった後に、補強接着体８になる接着剤が、素子保持体３とレンズ保持体５との間（接着面３３，５３の間を除く）に塗布される。そして、当該接着剤が硬化して補強接着体８になることで、素子保持体３とレンズ保持体５とは、より強固に固定される。
【００７６】
また、上記各実施形態に係る光源装置１においては、固定体６は、接着剤６０を硬化したものである、という構成である。しかしながら、光源装置は、斯かる構成に限られない。例えば、固定体６は、図２０に示すように、レンズ４を押すことで、レンズ４がレンズ保持体５に加圧接触して固定される、という構成でもよい。図２０に係る固定体６は、レンズ保持体５に螺合する螺子体としている。
【００７７】
また、上記各実施形態に係る光源装置１においては、素子保持体３は、遮光性を有し、レンズ保持体５は、透光性を有する、という構成である。しかしながら、光源装置は、斯かる構成に限られない。例えば、素子保持体３は、透光性を有し、レンズ保持体５は、遮光性を有する、という構成でもよい。また、例えば、素子保持体３及びレンズ保持体５は、それぞれ透光性を有する、という構成でもよい。また、例えば、保持体３，５の全体が透光性を有する、という構成でもよく、さらに、保持体３，５の一部が、接着面３３，５３の間の接着剤７０に光を照射できるように、透光性を有する、という構成でもよい。
【００７８】
また、上記各実施形態に係る光源装置１においては、レンズ４は、入射されたレーザ光Ｌ１を平行光にするコリメートレンズである、という構成である。しかしながら、光源装置は、斯かる構成に限られない。例えば、レンズ４は、入射されたレーザＬ１を集束させる集光レンズでもある、という構成でもよい。
【００７９】
また、上記実施形態に係る光源装置１の製造方法においては、発光素子２及び素子保持体３の固定の後で、且つ、レンズ４及びレンズ保持体５の固定の後に、素子保持体３とレンズ保持体５とが固定される、という方法である。しかしながら、製造方法は、斯かる方法に限られない。例えば、発光素子２及び素子保持体３の固定、レンズ４及びレンズ保持体５の固定、素子保持体３及びレンズ保持体５の固定の順番は、限定されない。例えば、当該三つの固定のうち、レンズ４及びレンズ保持体５の固定が、最後でもよい。
【産業上の利用可能性】
【００８０】
光源装置１は、発光素子２に対してレンズ４を適正な位置にすることも可能であるため、要求されるレーザ光の形状を忠実に再現することも可能である。したがって、光源装置１は、要求される平行度が非常に高いレーザ光を必要とする装置、例えば、細い管を流れる血液等にレーザ光を照射して、細胞を検出するフローサイトメータ等の光源装置１に用いることができる。なお、光源装置１は、フローサイトメータだけでなく、さまざまな用途の装置に用いることができることは勿論である。
【符号の説明】
【００８１】
１…光源装置、２…発光素子、３…素子保持体、４…レンズ、５…レンズ保持体、６…固定体、７…接着体、８…補強接着体、２１…発光部、２１ａ…発光面、２２…端子、３１…素子収容部、３２…レンズ収容部、３３…接着面、４１…入射面、４２…出射面、４３…外周面、５１…レンズ支持部、５１ａ…レンズ支持面、５１ｂ…大径部、５２…突出部、５３…接着面、６０…接着剤、７０…接着剤、９１…位置合わせ機構、９２…光源、９３…接着面支持部、９４…受光部、９５…受光部、Ｌ１，Ｌ１１，Ｌ１２…レーザ光、Ｌ２，Ｌ３，Ｌ４…光、ＬＸ１…光軸
【図１】
0006614413.tif 000002
【図２】
0006614413.tif 000003
【図３】
0006614413.tif 000004
【図４】
0006614413.tif 000005
【図５】
0006614413.tif 000006
【図６】
0006614413.tif 000007
【図７】
0006614413.tif 000008
【図８】
0006614413.tif 000009
【図９】
0006614413.tif 000010
【図１０】
0006614413.tif 000011
【図１１】
0006614413.tif 000012
【図１２】
0006614413.tif 000013
【図１３】
0006614413.tif 000014
【図１４】
0006614413.tif 000015
【図１５】
0006614413.tif 000016
【図１６】
0006614413.tif 000017
【図１７】
0006614413.tif 000018
【図１８】
0006614413.tif 000019
【図１９】
0006614413.tif 000020
【図２０】
0006614413.tif 000021